(57)【特許請求の範囲】
【請求項１】
内部に騒音発生源を有し、筐体には周囲の複数箇所で固定されるカバー部材が設けられているＯＡ機器において、
前記カバー部材は、自由状態時が平板に対して変形しているとともに、前記複数箇所の固定時に平板状態にして、内部応力を発生させ、
自由状態時の前記カバー部材が捻り形状であることを特徴とするＯＡ機器。
【請求項２】
請求項１に記載のＯＡ機器において、自由状態時の前記カバー部材が曲げ形状であることを特徴とするＯＡ機器。
【請求項３】
請求項１又は２に記載のＯＡ機器において、前記カバー部材は少なくとも四隅を固定具で固定される矩形のカバーであることを特徴とするＯＡ機器。
【請求項４】
請求項１又は２に記載のＯＡ機器において、前記カバー部材は一辺が回動可能に装着され、一辺の反対辺が磁力によって着脱可能に固定されるドアカバーであることを特徴とするＯＡ機器。
【発明の詳細な説明】
【技術分野】
【０００１】
本発明は、内部に騒音発生源を有する複写機、印刷機等のＯＡ機器に関するものである。
【背景技術】
【０００２】
近年、各種機器のカバーにおいて、二酸化炭素の排出量を抑えるべく、極力資源を使わないよう薄肉化が採用される傾向にある。内部に騒音発生源を有する画像形成装置、印刷用機、複写機などのＯＡ機器に使用されるカバー部材においてもご多分にもれず、二酸化炭素の排出量を抑えるべく、薄肉化のカバーが採用されている。カバー部材が薄肉化されると、例えば１辺２００ｍｍを超すような大きなカバー２０では、そのほぼ中央を指で押すと、図８に示すような凹む状態になる。このように凹むが発生してしまうカバー２０を用いた場合、図９に示すような内部に駆動モータ等の騒音発生源２１があるようなＯＡ機器本体ではその振動によってカバーの振動し、それによってビビリ音が発生する。また、機器本体の内部に音源がある場合、残響による内部の音圧上昇に伴い、図１０に示すように、カバーの振動によりビビリ音が発生する。
【０００３】
特許文献１には、コ型の電装カバー３０において、図１１に示すように、コ型両側面３１を若干の角度で内側に倒し、相手の箱本体３２の側面３３の外側に設置することで、コ型両側面３１が箱本体３２の接する面３３に密着させることで、ビビリ音の発生を抑えることは既に知られている。
【０００４】
しかしながら、特許文献１に記載されている電装カバー３０は、図１２に示すように、コ型両側面３１が、取り付け側の箱形状の側面３３と、同等の奥行き長さを必要とするため、その分多く材料を使用するという問題がある。そのため、コ型両側面３１の奥行きの長さが短くした場合、プラスチックのように弾性のある材料では正面の面積が大きい場合は、正面の中央部では何の負荷も掛からないため、振動を抑えられずにビビリ音が発生してしまう。
【０００５】
また、ビビリ音の発生を制御する方法として、図１３に示すように、カバー４０の正面中央部をネジ４１て固定して凹みをなくしてビビリ音の発生を抑えることが提案されている。
しかし、この方法であると中央にネジ穴が追加されるためデザイン的に悪くなることに加えて、図１４に示すように、ネジ４１を受けるブラケット４２が必要となり、工数や部品点数が増加してしまうという問題がある。
【発明の概要】
【発明が解決しようとする課題】
【０００６】
本発明は、上記した従来の問題を解消し、取り付けたカバーに内部応力を発生させて安価にビビリ音の発生を抑えることができるＯＡ機器を提供することを目的とする。
【課題を解決するための手段】
【０００７】
上記目的を達成するため、本発明は、内部に騒音発生源を有し、筐体には周囲の複数箇所で固定されるカバー部材が設けられているＯＡ機器において、前記カバー部材は、自由状態時が平板であるとともに、前記複数箇所の固定時に湾曲状態にして、内部応力を発生させることを特徴とするＯＡ機器を提案する。
【０００８】
また、上記目的を達成するため、本発明は、内部に騒音発生源を有し、筐体には周囲の複数箇所で固定されるカバー部材が設けられているＯＡ機器において、前記カバー部材は、自由状態時が平板に対して変形しているとともに、前記複数箇所の固定時に平板状態にして、内部応力を発生させることを特徴とするＯＡ機器を提案する。
【０００９】
なお、本発明は、自由状態時の前記カバー部材が捻り形状であると有利である。
さらに、本発明は、自由状態時の前記カバー部材が曲げ形状である有利である。
さらにまた、本発明は、前記カバー部材は少なくとも四隅を固定具で固定される矩形のカバーであると有利である。
【００１０】
さらにまた、本発明は、前記カバー部材は一辺が回動可能に装着され、一辺の反対辺が磁力によって着脱可能に固定されるドアカバーであると有利である。
【発明の効果】
【００１１】
本発明によれば、カバー部材に内部応力を発生させるように取り付けるという簡単な構成で、内部に騒音発生源を備えるＯＡ機器であっても、カバー部材の振動を減衰してビビリ音等の発生を軽減することができる。
【図面の簡単な説明】
【００１２】
【図１】本発明が得られる原理を説明する斜視図である。
【図２】本発明が得られる原理を説明する斜視図である。
【図３】本発明に係るＯＡ機器のカバーを外した状態を示す斜視図である。
【図４】本発明に係るＯＡ機器のカバーを取り付けた状態を示す斜視図である。
【図５】本発明に係るＯＡ機器のカバーを外した状態を示す斜視図である。
【図６】本発明の実施形態を示すＯＡ機器の斜視図である。
【図７】（ａ），（ｂ）は開閉カバーの閉じる前後の状態を示す側面説明図である。
【図８】従来のＯＡ機器の薄肉カバーを示す説明図である。
【図９】従来のＯＡ機器における薄肉カバーの振動を説明する説明図である。
【図１０】従来のＯＡ機器における薄肉カバーのビビリ音の発生を説明する説明図である。
【図１１】従来のビビリ音の発生を防止するＯＡ機器の説明斜視図である。
【図１２】図１１の平面説明図である。
【図１３】従来のビビリ音の発生を防止する別のＯＡ機器の斜視図である。
【図１４】図１３のＯＡ機器の内部構成を示す断面説明図である。
【発明を実施するための形態】
【００１３】
以下、本発明の実施の形態について添付図面を用いて説明する。
図１はプラスチックの平板を捻り、平板中央部に内部応力を発生について説明する図である。
図1において、捻った状態のプラスチックの平板１はその中央部に内部応力が発生して、振動が減衰し易くなることが経験上知られている。同様に、図２に示すように、湾曲させたプラスチックの平板１においても中央部に内部応力が発生するので、振動が減衰し易くなることが経験上知られている。
【００１４】
本発明は、この原理を利用してビビリ音の発生を制御しようとするものである。
自由状態においてプラスチックの平板１は、捻った状態もしくは曲げた状態に拘束して中央部に内部応力が発生するように、例えば４隅をネジで固定して機器に取り付ければ、振動が減衰し易くなり、本体の内部に騒音発生源がある場合であってもカバーの振動によりビビリ音の発生を抑制することができる。
【００１５】
しかし、かかる構成であると、カバー部材が捻った状態もしくは曲げた状態に取り付けられるため、ビビリ音の発生を抑制できても見た目である外観において問題がある。
そこで、図３に示す実施形態では自由状態において予め捻った形状のカバー部材１Ａを設け、この捻った形状のカバー部材１Ａの四隅を４本のネジ２を用いて内部に騒音発生源（図示せず）がある装置本体３の筐体に取り付ける。このとき、捻った形状のカバー部材１Ａを図４に示すように平形状にして取り付けることにより、カバー部材１Ａに取り付けによる拘束で内部応力を発生させることができる。しかも、取り付けたカバー部材１Ａは平板状になるため、外観上の問題の発生も防ぐことができる。
【００１６】
また、図５に示す実施形態では自由状態において予め曲げた（湾曲）形状のカバー部材１Ｂを設け、この曲げた形状のカバー部材１Ｂの四隅を４本のネジ２を用いて内部に騒音発生源（図示せず）がある装置本体３に取り付けている。このとき、曲げた形状のカバー部材１Ｂを図４に示すように平形状にして取り付けることにより、カバー部材１Ｂに取り付けによる拘束で内部応力を発生させることができ、取り付けたカバー部材１Ａも平板状にすることができるため、上記実施形態と同様の効果が得られる。
【００１７】
図６は、本発明の他の実施形態をＯＡ機器である複写機の斜視図で、該複写機にはビビリ音の発生を抑えるカバー部材としての開閉カバー５が用いられている。この開閉カバー５は、一辺が図示していないヒンジを介して装置本体３に開閉可能に装着され、回動支点と反対側の辺にはその上下の所定箇所に板金の小片６が設けられている。他方、この開閉カバー５の開放側である上記反対辺を受ける面には小片６位置に対応してマグネット７が設けられている。そして、開閉カバー５は剛性が乏しく予め曲げた形状に形成されているものが用いられている。
【００１８】
このように構成された開閉カバー５は、閉じたときには磁力によって小片６がマグネット７に吸着され、このとき図７（ａ）に示す曲げた開閉カバー５が図７（ｂ）に示すように平面状になって付くことによってカバーに内部応力が生じ、それによって振動が減衰し易くなることでビビリ音等の発生が防止される。
【符号の説明】
【００１９】
１Ａ、１Ｂ、  カバー
２  ネジ
３  装置本体
５  開閉カバー
６  小片
７  マグネット
【先行技術文献】
【特許文献】
【００２０】
【特許文献１】特許第３４９５４１３号公報
【図１】
0005708073.tif 000002
【図２】
0005708073.tif 000003
【図３】
0005708073.tif 000004
【図４】
0005708073.tif 000005
【図５】
0005708073.tif 000006
【図６】
0005708073.tif 000007
【図７】
0005708073.tif 000008
【図８】
0005708073.tif 000009
【図９】
0005708073.tif 000010
【図１０】
0005708073.tif 000011
【図１１】
0005708073.tif 000012
【図１２】
0005708073.tif 000013
【図１３】
0005708073.tif 000014
【図１４】
0005708073.tif 000015